(57)【要約】      （修正有）【課題】夜間に自転車や自動車などから主に高齢者などの歩行者を識別し易くし、安全を確保するための携帯用夜間安全保護具を提供する。【解決手段】星型など多角形をした皮を２枚作成し、多角形の先端部近くにＬＥＤが見えるようにした孔を空け、ＬＥＤを表面及び裏面にそれぞれ配置し、２枚の星型をした皮の内側にＬＥＤを点滅させるための回路を配置した本体とＬＥＤを発光させるための電源を収めた電池ケースとを接続させる。本体と電池ケースを任意の場所に保持できるようにするための保持具に接続する。【選択図】図１
0003120538.tif 000002
【実用新案登録請求の範囲】
【請求項１】
星型など多角形をした皮を2枚作成し、該多角形の先端部近くにＬＥＤが見えるようにした孔を空け、ＬＥＤを表面及び裏面にそれぞれ配置し、2枚の星型をした皮の内側にＬＥＤを点滅させるための回路を配置した本体とＬＥＤを発光させるための電源を収めた電池ケースとを接続させる。該本体と電池ケースを任意の場所に保持できるようにするための保持具に接続したことを特徴とした携帯用夜間安全保護具
【請求項２】
請求項1において、表面及び裏面の中央部にＬＥＤを配置したことを特徴とする携帯用夜間安全保護具
【請求項３】
星型など多角形をした皮を2枚作成し、該多角形の先端部近くにＬＥＤが見えるようにした孔を空け、ＬＥＤを表面及び裏面の中央部に各1個配置し、それぞれのＬＥＤについて、該ＬＥＤの光が表面及び裏面に出るように配置したことを特徴し、2枚の星型をした皮の内側にＬＥＤを点滅させるための回路を配置した本体とＬＥＤを発光させるための電源を収めた電池ケースとを接続させる。該本体と電池ケースを任意の場所に保持できるようにするための保持具に接続したことを特徴とした携帯用夜間安全保護具
【請求項４】
請求項3において、星型など多角形をした皮中央部にもＬＥＤを配置したことを特徴とする携帯用夜間安全保護具
【請求項５】
星型など多角形をした皮を2枚作成し、該多角形の先端部近くにＬＥＤが見えるようにした孔を空け、ＬＥＤを表面及び裏面の中央部に各1個配置し、それぞれのＬＥＤについて、該ＬＥＤの光が表面及び裏面に出るように配置し、ＬＥＤの周囲に45度の反射面を有することを特徴し、2枚の星型をした皮の内側にＬＥＤを点滅させるための回路を配置した本体とＬＥＤを発光させるための電源を収めた電池ケースとを接続させる。該本体と電池ケースを任意の場所に保持できるようにするための保持具に接続したことを特徴とした携帯用夜間安全保護具
【請求項６】
請求項5において、中央部にもＬＥＤを配置したことを特徴とする携帯用夜間安全保護具
【考案の詳細な説明】
【技術分野】
【０００１】
本発明は、夜間に自転車や自動車などから主に高齢者などの歩行者を識別し易くし、安全を確保するための携帯用夜間安全保護具に関するものである。
【背景技術】
【０００２】
夜間において、自転車や自動車などから自分達の存在を示すため、特願平10-217853に示すような反射材を使用した夜間作業用装身具がある。また、特願2001-258771では傘に蛍光物をつけたものや、特願平 9-354971のようにリックサックに反射材をとりつけたものがある。
【０００３】
また、特願平11-39005に示すように反射材だけでは投光がなければ光らない欠点を改良したベストがある。
【０００４】
ＬＥＤの輝度が高いという特質を生かしたものには、特願平10-112657に、ＬＥＤを腕、肩、頭部などの身体の部位に装着し通行の安全を図るものが提示されている。これと同様な発想から特願2003-405184ではヘルメットに制動灯装置を取り付けたものや特願003-178768のように帽子にＬＥＤを取り付けたものがある。
【０００５】
また、特願平 6-143769では杖にＬＥＤを配置したものがある。
【０００６】
【特許文献１】特願平10-217853
【特許文献２】特願2001-258771
【特許文献３】特願平 9-354971
【特許文献４】特願平11-39005
【特許文献５】特願平10-112657
【特許文献６】特願2003-405184
【特許文献７】特願2003-178768
【特許文献８】特願平 6-143769
【考案の開示】
【考案が解決しようとする課題】
【０００７】
近年、一般の人が健康増進のために、夜間や早朝にウオーキングやジョギングする機会が増えている。
【０００８】
また、交通事故を分析すると、高齢者が交通事故に合うケースが多く、怪我することや、ひどい場合には死亡する場合もある。特に、高齢者は動きが鈍くなることも手伝って夜間に交通事故に合うケースが多い。これは、高齢になると各種の識別能力、たとえば、聴力であるとか視力等が衰え、自動車が近づく音が聞こえず、物を見る力が衰える上に、反射神経が鈍くなるためと推定される。
【０００９】
そこで、高齢者らの交通事故を未然に防止するために、自動車や自転車などから歩行者を識別しやすくする必要がある。しかし、夜間自動車や自転車などからの事故を防止するために、反射材やＬＥＤの発光を利用しているのが現状であるが、ＬＥＤや反射板を取り付けたベストを例に取ると、その実用性は夜間の安全性や視認性を十分満たす物ではあるが、実際に一般人が夜間移動時に常にベストを着用するかと言うと、簡便性やファッション性、場合によっては社会性に反する場合も出てくると予想できる。従って上記のようなベストは自ずとその使用範囲が限定されてしまう。
【００１０】
従って、輝度が高く識別しやすいこととファッション性と取り扱い性がよいものが望まれている。従って、高齢者が交通事故などから身を守るためには、識別能力の高い夜間安全性の高い装身具が必要であとともに高齢者といえども、簡便でおしゃれなファッション性を考慮した携帯用夜間安全保護具が求められている。
【課題を解決するための手段】
【００１１】
本考案は識別しやすくするために、反射材は用いず、自己発光タイプの材料を検討した結果、エレクトロルミネッセンスより発光ダイオード（ＬＥＤ）が最も適した材料である
ことを確認した。ＬＥＤは輝度以外にも省エネルギーであり、小電力で長時間光る特性がある。また、識別力を高めるためにＬＥＤは点滅回路によって自動点滅をするようにした。同時に、周りが暗くなり照度が低下するとＬＥＤが自動的に点滅を始める回路を有している。もちろん、回路の自動点灯機能を使わない場合にはスイッチで切って置くことも可能である。
【００１２】
また、ファッション性と取り扱い性を重視し、図1，2,4に示すようにデザインは星型をしたものとして、発光部にＬＥＤを配している。また、識別力を高めるために表と裏の両方からＬＥＤが見えるようにしている。
【００１３】
次に本考案はファッション性とともに携帯に便利なことを考え、どこにでも手軽に取り付け、取り外しができるようにするため、図1,2,4に示すような取り付け治具を有している。
【考案の効果】
【００１４】
従来の機能型重視の夜間安全保護具と異なり、だれでも手軽に使用できるように携帯型に設計されており、かつ、素材に皮を使用し、星型にデザインしており、その星型にデザインされた皮素材表面には、ファッション性を重視したデザイン画などが施されており、ベストや傘、杖といったものと違い、小物グッズとして手軽に活用でき、どこにでも取り付けられる特徴がある。
【００１５】
また、ＬＥＤは表面及び裏面にも配置されているので、携帯用夜間安全保護具がどちらの面を向いていても光を認識できる。また、ＬＥＤは自動点滅しているので、夜間時には識別しやすいことと周りが暗くなり照度が低下すると自動的に点滅を始めるので、高齢者にとっては大変手間が掛からないものとなっている。
【考案を実施するための最良の形態】
【００１６】
本考案は皮を星型に切断したものを2枚作成し、星の先端部近くにＬＥＤから光が取り出せる孔を空ける。星型に切断した表面にはファッション性を考慮し、絵柄を入れる。ＬＥＤは星型に切断された2枚の皮の内部に配置し、暗さを感知して自動的に点滅する回路に接続されたものを本体とする。該本体はＬＥＤ及び自動点滅回路を収納した後、接着剤又は星型の周囲を紐で固定する。
【００１７】
該本体に電気を送り込むための電池を収納した電池ケースから配線で本体に接続する。
【００１８】
該本体と電池ケースを任意の部位に保持するための保持具に接続する。
【００１９】
本考案の携帯用夜間安全保護具は夜間約１００ｍの遠方より識別が可能であり、携帯がしやすいことと、周りが暗くなり照度が低下すると自動的に点滅する機構を有しているため、高齢者などには携帯するだけで夜間の安全が確保される。
【実施例１】
【００２０】
厚さ0.5ｍｍの黒いなめし皮を図１に示すような外形50ｍｍ、内径25ｍｍの星型に裁断し、星型の先端部近くにＬＥＤの光が通るための穴を開ける。ＬＥＤは図２に示す自動点滅回路Ａ部によって、周囲が暗くなるとＣＤＳによって照度の低下を感知し、ＬＭＣ５５５のタイマーによりＢ部の星型昭光部のＬＥＤが自動点滅する。
【００２１】
ＬＥＤには黄色、赤、青、白等の色があるが、夜間遠方から識別しやすく、かつ、電力の消費量が少ない色は赤であるが、該本体には赤色の2.4ｍｍのＬＥＤ（ＴＬＯＥ１００５Ｂ；東芝製）を配置した。
【００２２】
該本体に電力を供給するために図２に示す単5の電池2個を電池ケースに収納し、該本体に配線し、電気を供給する。
【００２３】
本体及び電池ケースは図1に示す保持具によって任意の場所に保持できるようにした。
そのため、ベルトや上着等の任意の場所に本本携帯用夜間安全保護具を取り付けることが可能であり、本体にはおしゃれな図柄が施されているため、昼間に本本携帯用夜間安全保護具を衣服やベルトなどにぶら下げていてもおしゃれな小物グッズとしての機能を果たす。
【００２４】
本携帯用夜間安全保護具を使用する場合は、電池ケースについているスイッチを入れることにより周囲が暗くなると自動的にＣＤＳによってＬＥＤに電力が供給される。また、本携帯用夜間安全保護具を収納する場合は電池ケースについているスイッチを切ることによってＬＥＤへの電力は供給されなくなる。
【実施例２】
【００２５】
本体におけるＬＥＤの配置を図３に示すように自動点滅装置、電池ケース及び取り付け具は実施例1と同じものを使用する。また、星型照光部においてＬＥＤは赤色の2.4ｍｍのＬＥＤ（ＴＬＯＥ１００５Ｂ；東芝製）を10個配置し、中央部のＬＥＤ2個は赤色の砲弾型をした4ΦのＬＥＤランプ（豊田合成製）を使用した。
【実施例３】
【００２６】
厚さ0.5ｍｍの黒いなめし皮を図4に示すような外形40ｍｍ、内径20ｍｍの星型に示すような星型に裁断し、星型の先端部近くにＬＥＤの光が通るための穴を開け、ＬＥＤは赤色の2.4ｍｍのＬＥＤ（ＴＬＯＥ１００５Ｂ；東芝製）を5個配置し、1個のＬＥＤで表面及び裏面の両方に光を投影できるようにする。従って、実施例1及び2の半分のＬＥＤの数で設計できることになる。
【００２７】
ＬＥＤは図２に示す自動点滅回路Ａ部によって、周囲が暗くなるとＣＤＳによって照度の低下を感知し、ＬＭＣ５５５のタイマーによりＢ部の星型昭光部のＬＥＤが自動点滅するが、
星型照光部の数が実施例1の半分で済むため、電池の寿命が長くなる。
【００２８】
該本体に電力を供給するために図２に示す単5の電池2個を電池ケースに収納し、該本体に配線し、電気を供給する。
【００２９】
本体及び電池ホルダーは図４に示す保持具によって衣服やベルトなどの任意の場所に保持できるようにした。
【００３０】
本携帯用夜間安全保護具を使用する場合は、電池ケースについているスイッチを入れることにより周囲が暗くなると自動的にＣＤＳによってＬＥＤに電力が供給される。また、本携帯用夜間安全保護具を収納する場合は電池ケースについているスイッチを切ることによってＬＥＤへの電力は供給されなくなる。
【実施例４】
【００３１】
厚さ0.5ｍｍの黒いなめし皮を図5に示すような星型に裁断し、星型の先端部近くにＬＥＤの光が通るための穴を開ける。この孔には45度の傾斜をつけ、さらに傾斜部に反射材を取り付け、1個のＬＥＤで表面及び裏面の両方に光を投影できるようにする。従って、実施例における半分のＬＥＤの数で設計できることになる。
【００３２】
ＬＥＤは図２に示す自動点滅回路Ａ部によって、周囲が暗くなるとＣＤＳによって照度の低下を感知し、ＬＭＣ５５５のタイマーによりＢ部の星型昭光部のＬＥＤが自動点滅するが、
星型照光部の数が実施例2の半分で済むため、電池の寿命が長くなる。
【００３３】
該本体に電力を供給するために図２に示す単5の電池2個を電池ケースに収納し、該本体に配線し、電気を供給する。
【００３４】
本体及び電池ケースは図5に示す保持具によって衣服やベルトなどの任意の場所に保持できるようにした。
【００３５】
本携帯用夜間安全保護具を使用する場合は、電池ケースについているスイッチを入れることにより周囲が暗くなると自動的にＣＤＳによってＬＥＤに電力が供給される。また、本携帯用夜間安全保護具を収納する場合は電池ケースについているスイッチを切ることによってＬＥＤへの電力は供給されなくなる。
【図面の簡単な説明】
【００３６】
【図１】携帯用夜間安全保護具の全体図1（ＬＥＤ１０個）
【図２】本体の電気配線図及び電池ケース
【図３】携帯用夜間安全保護具の全体図2（ＬＥＤ１２個）
【図４】携帯用夜間安全保護具の全体図とＬＥＤ周辺部の孔形状（ＬＥＤ5個）
【図５】携帯用夜間安全保護具の全体図とＬＥＤ周辺部の孔形状45°（ＬＥＤ5個）
【符号の説明】
【００３７】
１  本体
２  ＬＥＤ発光部
３  電池ケースと本体との配線部
４  電池ケース
５  クリップ部
６  本体の電気配線図
７  本体の発光制御部
８  星型照光部  
９  スイッチ
受光素子
11  発光タイマー
【図１】
0003120538.tif 000003
【図２】
0003120538.tif 000004
【図３】
0003120538.tif 000005
【図４】
0003120538.tif 000006
【図５】
0003120538.tif 000007
【手続補正書】
【提出日】平成17年11月25日(2005.11.25)
【手続補正１】
【補正対象書類名】実用新案登録請求の範囲
【補正対象項目名】全文
【補正方法】変更
【補正の内容】
【実用新案登録請求の範囲】
【請求項１】
星型など多角形の先端部近くに孔を空けた皮の裏面に、孔から光が見えるようにＬＥＤを配置した皮を2枚同型に張り合わせ、その内部にＬＥＤを点滅させる回路を持った本体とＬＥＤを発光させるための電源を収めた電池ケースと該本体と該電池ケースを任意の場所に保持できるようにするための保持具とからなる携帯用夜間安全保護具
【請求項２】
請求項1において、中央部にもＬＥＤを配置した携帯用夜間安全保護具
【請求項３】
星型など多角形の先端部近くに孔を空けた皮の裏面に、孔から光が見えるようにＬＥＤを配置した皮と先端部近くに孔を空けただけの皮を同型に張り合わせ、その内部にＬＥＤを点滅させる回路を持った本体とＬＥＤを発光させるための電源を収めた電池ケースと該本体と該電池ケースを任意の場所に保持できるようにするための保持具とからなる携帯用夜間安全保護具
【請求項４】
請求項3において、中央部にもＬＥＤを配置した携帯用夜間安全保護
【請求項５】
請求項3において、ＬＥＤの周囲に45度の反射面を有したことを特徴とした携帯用夜間安全保護具
【請求項６】
請求項5において、中央部にもＬＥＤを配置した携帯用夜間安全保護
【手続補正書】
【提出日】平成18年1月26日(2006.1.26)
【手続補正１】
【補正対象書類名】実用新案登録請求の範囲
【補正対象項目名】全文
【補正方法】変更
【補正の内容】
【実用新案登録請求の範囲】
【請求項１】
星型の先端部近くに孔を空けた皮の裏面に、孔から光が見えるようにＬＥＤを配置した皮を2枚同型に張り合わせ、その内部にＬＥＤを点滅させる回路を持った本体とＬＥＤを発光させるための電源を収めた電池ケースと該本体と該電池ケースを任意の場所に保持できるようにするための保持具とからなる携帯用夜間安全保護具
【請求項２】
請求項1において、中央部にもＬＥＤを配置した携帯用夜間安全保護具
【請求項３】
星型の先端部近くに孔を空けた皮の裏面に、孔から光が見えるようにＬＥＤを配置した皮と先端部近くに孔を空けただけの皮を同型に張り合わせ、その内部にＬＥＤを点滅させる回路を持った本体とＬＥＤを発光させるための電源を収めた電池ケースと該本体と該電池ケースを任意の場所に保持できるようにするための保持具とからなる携帯用夜間安全保護具
【請求項４】
請求項3において、中央部にもＬＥＤを配置した携帯用夜間安全保護具
【請求項５】
請求項3において、ＬＥＤの周囲に45度の反射面を有したことを特徴とした携帯用夜間安全保護具
【請求項６】
請求項5において、中央部にもＬＥＤを配置した携帯用夜間安全保護具